(57)【要約】【課題】  従来のＬＥＤ照明装置は、光源を構成するＬＥＤ素子をマウント基板の中央部にまで配設することができなかった。このため、基板の大径化を招き、総じて照明装置の全体構成が大型化するという問題点があった。【解決手段】  筒状本体１と、この筒状本体１の下端開口部に配設した光源Ａと、上端開口部に配設した点灯装置Ｄとを備えたＬＥＤ照明装置において、筒状本体１内に、下端を大径部ａとして光源Ａの上方空間に対応し、上端を細径部ｂとして前記筒状本体１の上部に開口する熱遮断材料からなる隔離部材Ｂを設ける。この隔離部材Ｂによって筒状本体１の内部空間を二分すると共に上記隔離部材Ｂの細径部ｂと前記筒状本体１の上端開口部との間に空隙部９を形成し、ここに点灯装置Ｄを配設する。点灯装置Ｄは複数個とし光源Ａに接続する。【選択図】図１
2018206745.tif 000002
【特許請求の範囲】
【請求項１】
筒状本体と、この筒状本体の下端開口部に配設した光源と、上端開口部に配設した点灯装置とを備えたＬＥＤ照明装置において、
上記筒状本体内に、下端を大径部として光源の上方空間に対応し、上端を細径部として前記筒状本体の上部に開口する熱遮断材料からなる隔離部材を設け、この隔離部材によって筒状本体の内部空間を二分し、かつ上記隔離部材の細径部と前記筒状本体の上端開口部との間に形成した空隙部に前記点灯装置を配設したことを特徴とするＬＥＤ照明装置。
【請求項２】
筒状本体の外周部に、前記空隙部に連通する通気穴を設けたことを特徴とする請求項１に記載するＬＥＤ照明装置。
【請求項３】
筒状本体と隔離部材の外周部との間に、前記下端開口部が前記空隙部に連通する空気流路を設けたことを特徴とする請求項２に記載するＬＥＤ照明装置。
【請求項４】
空隙部に一個または複数個の点灯装置を配設し、この点灯装置を光源に接続したことを特徴とする請求項１に記載するＬＥＤ照明装置。
【発明の詳細な説明】
【技術分野】
【０００１】  本発明は、ＬＥＤ（発光ダイオード）を光源としたＬＥＤ照明装置に関するものであり、特に光源と、この光源に電力を供給する点灯装置からの発熱を効果的に放出しつつ全体構成の小型化、軽量化を図ったものである。
【背景技術】
【０００２】  屋内倉庫などにおける天井、梁に設備される比較的大容量のＬＥＤ照明装置は、本体内部の光源、点灯装置から多量の発熱があり、これに起因して故障、構成パーツの寿命低下を引き起こしている。このため、発熱部に対する通気を促進して放熱を効果的に行うことが重要な改善ポイントとなっており、多くの技術手段が提案されている。（一例として、特許文献１、特許文献２参照）
【先行技術文献】
【特許文献】
【０００３】
【特許文献１】特開２０１６−０４７２０
【特許文献２】特開２０１５−１５１７９
【発明の概要】
【発明が解決しようとする課題】
【０００４】  特許文献１に開示される照明装置においては、下部の通気口から流入する外気により上昇空気を発生させ、煙突トンネル効果によって放熱作用の向上を図り、光源の過熱を抑えたものである。しかしながら、この従来発明のものは排熱流路の直上部に点灯装置を配置したため、この点灯装置への熱的影響が大きく、自己発生熱も加わって高い温度上昇を招くことになり、内蔵電子デバイスへの弊害を及ぼしていた。【０００５】  この問題点を解決するための措置として、従来発明おいては、光源を構成するＬＥＤ素子をマウント基板の外周部付近だけに配設して、中央空間への熱滞留を抑止したものである。しかしながら、これではＬＥＤ素子の集約密度が小さくなって基板の大径化を招き、総じて照明装置の全体構成が大型化し、器具重量も大きくなってしまうという問題点があった。【０００６】  また特許文献２に開示される照明装置においては、光源と点灯装置とを隔離部材によって熱的に遮断し、両者からの排熱を各別に行うように工夫したものである。この従来発明においては、照明装置の中心に前記隔離部材を縦に貫通するように配設し、隔離部材の内部に点灯装置を内蔵する一方、外周部にマウント基板を設け、この基盤にＬＥＤ素子を配列した構成となっている。【０００７】  このため、特許文献１のものと同様に基板の大径化を招き、総じて照明装置が大型化するという問題がある。また、この発明においては、貫通状の隔離部材内の縦方向に一基の点灯装置を内蔵した構成を採っている。このため大出力の照明装置においては、大きな収容空間を要し、照明装置の全体構成の大型化、重量化を招いている。【０００８】  本発明は、上記した従来技術の問題点に着目してなされたものであり、光源および点灯装置から発生する熱を効率的に排除することができ、併せて照明装置の小型化、軽量化を合理的に達成したＬＥＤ照明装置を提供しようとするものである。
【課題を解決するための手段】
【０００９】  上記の課題を解決するために、本発明に係るＬＥＤ照明装置は筒状本体と、この筒状本体の下端開口部に配設した光源と、上端開口部に配設した点灯装置とを備えたＬＥＤ照明装置において、上記筒状本体内に、下端を大径部として光源の上方空間に対応し、上端を細径部として前記筒状本体の上部に開口する隔離部材を設け、この隔離部材によって筒状本体の内部空間を二分し、かつ上記隔離部材の細径部と前記筒状本体の上端開口部との間に形成した空隙部に前記点灯装置を配設したことを特徴としている。【００１０】  また本発明に係るＬＥＤ照明装置は、請求項２において、筒状本体の外周部に、前記空隙部に連通する通気穴を設けたことを特徴としている。【００１１】  また本発明に係るＬＥＤ照明装置は、請求項３において、筒状本体と隔離部材の外周部との間に、前記下端開口部が空隙部に連通する空気流路を設けたことを特徴としている。【００１２】  また本発明に係るＬＥＤ照明装置は、請求項４において、空隙部に一個または複数個の点灯装置を配設し、この点灯装置を光源に接続したことを特徴としている。
【発明の効果】
【００１３】  上記のように構成した課題解決手段によれば、光源から発生した熱を、一旦隔離部材の大径部に集結し、上昇気流を伴って細径部に導出したので高い煙突トンネル効果が得られ、そこから外方空間にスムーズに放出することができる。このため、光源の過熱を招くことがない。一方において、点灯装置を筒状部材の上端開口部と熱遮断性の隔離部材との空隙部に配設したので、光源からの熱の影響を受けることがない。このため、故障発生の低下、寿命の長期化を図ることができる。【００１４】  さらに光源を構成するＬＥＤ素子のマウント基板への配列上の制限をなくすることができるので、基板の小径化が実現でき、照明装置の全体構成の小型化、軽量化に大きく寄与することができる。【００１５】  また請求項２のように構成したときには、空隙部内に外気を流入して、そこに位置する点灯装置からの発生熱を上方空間に排出することができる。このため、点灯装置を熱的に保護して寿命延長を図ることができる。【００１６】  また請求項３のように構成したときは、比較的に光源からの熱の影響が小さい本体内の空間を通して空隙部に外気を流入し、点灯装置からの発生熱を上方空間に排出することができる。この場合においては、筒状本体に穴加工など要しないので、製作コストの低減、意匠性に優れる照明装置を提供することができる。【００１７】  請求項４のように構成したときには、小さい出力容量の点灯装置を用いて必要容量の点灯装置を狭い空間に組み込むことができる。このため、照明装置を小型化する上で有益である。
【図面の簡単な説明】
【００１８】
【図１】  本発明に係るＬＥＤ照明装置の一実施例を示す模式的な縦断正面であり、外気及び熱の流れを併せて示している。
【図２】  同じく、模式的に示す横断平面図である。
【発明を実施するための形態】
【００１９】  以下、本発明に係るＬＥＤ照明装置の一実施例を図面について説明する。図１は模式的な縦断正面図  図２は同じく横断平面図であり、１は円筒状からなる筒状本体  この筒状本体１は、アルミ合金などの金属材料、ポリカーボネートなどの合成樹脂材料によって製作する。この筒状本体１の両端は開口しており、下部に下端開口部２を、上部に上端開口部３を設ける。なお、上端開口部２は、後述する蓋板によって一部を閉塞している。
【００２０】  Ａは光照射面を下側に向けて、筒状本体１の下端開口部２付近に配設した光源  この光源Ａは、保持フレーム４に取りつけたアルミ製の基板５と、その表面に実装したＬＥＤ素子６を主要メンバーとしている。ＬＥＤ素子６の下部前面には透明の保護カバー７を取りつけ、基板５の上側には放熱性に優れる金属製のヒートシンク８を配設する。上記の光源Ａは、図示省略の取付けステイを介して筒状本体１内に固定されている。
【００２１】  Ｂは下端を大径部ａとして光源Ａの上方空間に対応し、上端を細径部ｂとして筒状本体１の開口部３に臨ませた笠形状の隔離部材  この隔離部材Ｂの大径部ａは、その外周縁を前記した筒状本体１の内周面に接近するように配設する。上記の大径部ａと細径部ｂの面積比率は、概ね４対１としており、緩やかに可変するように円錐状の傾斜面ｃを有している。
【００２２】  上記の隔離部材Ｂは、熱遮断性（熱伝導率の小さい）の合成樹脂材か、または断熱塗装を施した耐熱材料によって製作する。また上端の細径部ｂの先端は、筒状本体１における上端開口部３の上方空間において開口していても良い。
【００２３】  ９は筒状本体１おける上端開口部３と隔離部材Ｂの細径部ｂとの間に形成したドーナツ状の空隙部  １０は空隙部９の上方を覆うように上端開口部３に設けた蓋板  １１は蓋板１０に設けた通気穴  １２は細径部ｂに対応して上方空間に配設した天板であり、この天板１２と前記細径部ｂとの間には空気流路１３を形成する。  この天板１２は金属などの耐熱材料から構成する。１４は空隙部９に連通するように筒状本体１に設けた通気口である。
【００２４】  Ｄは空隙部９に配設した複数（実施例では２基）の直流電源装置からなる点灯装置  この点灯装置Ｄは、基板５を介してＬＥＤ素子６に接続しており、一例として一方の直流電源装置が左半分のＬＥＤ素子６に、他方の直流電源装置が右半分のＬＥＤ素子６に電力を供給する。
【００２５】  このように構成したＬＥＤ照明装置において、点灯装置Ｄにより光源Ａに電力を供給するとＬＥＤ素子６が光を照射する。他方において、ＬＥＤ素子６は必要悪としての熱を発生し、熱的に導通する基板５及びヒートシンク８を加熱する。しかして、この熱はヒートシンク８から隔離部材Ｂの大径部ａに向けて放散し、大気との温度差によって下端開口部２から流入する上昇気流により上端開口部３から空気流路１３を経て外方空間へと放出される。
【００２６】  上記の上昇気流は、流入面積の大きい大径部ａから流出面積の小さい小径部ｂに向けて流速を増しながら渦巻き状になされ、またこのとき煙突トンネル効果も有効に作用するので、熱の放出は非常にスムーズである。このため、ＬＥＤ素子６が過度の熱雰囲気に晒されることがなく、正常性能を耐久的に維持することができる。上記の渦巻き状の上昇気流を促進するために、隔離部材Ｂの傾斜面ｃは特に有効である。
【００２７】  一実施例の構成において、高温空気を導出する隔離部材Ｂは熱遮断材料であるので空隙部９の温度上昇を招くことがない。このため、ここに配設した点灯装置Ｄに悪影響を及ぼすことがない。この点灯装置Ｄを構成する直流電源装置は給電時に発熱するが、ＬＥＤ素子６の発熱量に比較した場合は小さいものである。この熱は、通気穴１１，通気口１４によって構成される流通路を通って外部空間に排出される。
【００２８】  また一実施例では隔離部材Ｂの外周縁と筒状本体１の内周面には、僅かな隙間を設けたものである。このため、そこから比較的温度の低い外気を空隙部９に流入することができることができ、有効的に点灯装置Ｄの冷却作用を行うことができる。
【００２９】  なお一実施例における蓋板１０、天板１２は照明装置を設置したときに内部への塵埃などの侵入を防止するカバー体となっている。よって清廉な雰囲気において使用するときには不要であり、これを省略することができる。
【産業上の利用可能性】
【００３０】  本発明によれば、ＬＥＤ照明装置を簡単に製作し、小型化、軽量化を達成することができる。このため、産業用だけでなく一般家庭用としても広く利用できる。また一実施例では、筒状本体および隔離部材の断面形状を円筒状としたが、多角形状に変更して構成することは容易であり、これによって優れた意匠デザインを創作することができる。
【符号の説明】
【００３１】１    筒状本体
２    下端開口部
３    上端開口部
Ａ    光源
５    基板
６    ＬＥＤ素子
８    ヒートシンク
Ｂ    隔離部材
ａ    大径部
ｂ    細径部
ｃ    傾斜面
９    空隙部
１０  蓋板
１１  通気穴
１２  天板
１３  空気流路
１４  通気口
Ｄ    点灯装置
【図１】
2018206745.tif 000003
【図２】
2018206745.tif 000004